(57)【特許請求の範囲】
【請求項１】
基板に形成された有機ＥＬ発光部及び当該有機ＥＬ発光部に電力を供給する電極端子を有する有機ＥＬパネルと、前記電極端子に電気的に接続されて電力を供給する回路基板と、前記有機ＥＬパネル及び前記回路基板が取り付けられるケース部と、を備える有機ＥＬモジュールにおいて、
前記電極端子は、平面視が略長方形状の前記有機ＥＬパネルの左右両端部に配置され、
前記ケース部は、前記有機ＥＬパネルと略同一形状の長方形状であって、前記有機ＥＬパネルの電極端子が配置されていない側の両側面のみに所定範囲において延出された、ハンドリング用の持ち部である延出部が各々形成され、前記延出部は、両側面の中央部に形成され、前記延出部のパネル辺に沿う長さは当該パネル辺より短いことによって、位置決め用の凸部に嵌め合わされる位置決め用の切り欠きが各角部に形成されていることを特徴とする有機ＥＬモジュール。
【請求項２】
前記ケース部に前記延出部が形成されることで、前記有機ＥＬモジュールが平面視で略正方形となることを特徴とする請求項１に記載の有機ＥＬモジュール。
【請求項３】
前記有機ＥＬパネルの角部の少なくとも１つに切り欠き部を設けたことを特徴とする請求項１又は請求項２に記載の有機ＥＬモジュール。
【請求項４】
請求項１乃至請求項３のいずれか一項に記載の有機ＥＬモジュールを複数備えたことを特徴とする照明装置。
【発明の詳細な説明】
【技術分野】
【０００１】
本発明は、有機ＥＬ（Electro Luminescence）発光素子を用いる発光部を有する有機ＥＬモジュールに関するものである。
【背景技術】
【０００２】
従来より、薄型で、輝度や視野角の良い有機ＥＬ発光素子を光源とした有機ＥＬパネルが注目を浴びている。
【０００３】
この有機ＥＬパネルは、定電流源からの直流の電圧を陽極取出し部及び陰極取出し部に印加することによって、発光層に含まれる有機化合物の励起子を発生させ、この励起子が基底状態に戻るときに放射される光を外部に取り出すものである。
【０００４】
また、近年において、有機ＥＬパネルをモジュール化して複数配置した照明装置が開示されている（例えば、特許文献１参照）。この照明装置では、短形状の基板上に、有機ＥＬ材料を包有する溶液の液体を噴射、付与し、有機ＥＬ素子群がマトリックス状に形成された有機ＥＬ基板を製造する。そして、基板の各角部は面取りが施されている。
【先行技術文献】
【特許文献】
【０００５】
【特許文献１】特開２００３−２５７６１７号公報
【発明の概要】
【発明が解決しようとする課題】
【０００６】
しかしながら、上記従来の照明装置においては、有機ＥＬパネルに電力を供給する電極端子がパネル辺近傍に設けられているため、作業者が有機ＥＬパネルを扱う際に当該電極端子に触れて配線を損傷するという問題がある。
【０００７】
また、上記特許文献１に示す照明装置においても、基板に切り欠きを設けることにより基板の方向性は出しているが、作業者が基板又は基板を収納したケース部を扱う際、若しくは複数の有機ＥＬモジュールを照明装置に配置する際に、電極端子が配置されている側の基板の縁側を持つ可能性があり、電極端子に接続される配線を損傷する危険性がある。
【０００８】
さらに、作業者が有機ＥＬモジュールを扱う際に有機ＥＬパネルを直接つかむ可能性が高く、有機ＥＬパネルの表面が指紋で汚れる虞がある。
【０００９】
本発明は、以上の課題に鑑みてなされたものであり、作業中においても有機ＥＬパネルに設けられた電極配線が損傷する可能性を軽減し、且つ有機ＥＬパネルを汚すことを軽減した有機ＥＬモジュールを提供することを目的とする。また、これら有機ＥＬモジュールを複数備える照明装置を提供することをも目的とする。
【課題を解決するための手段】
【００１０】
上記目的を達成するために本発明は、基板に形成された有機ＥＬ発光部及び当該有機ＥＬ発光部に電力を供給する電極端子を有する有機ＥＬパネルと、前記電極端子に電気的に接続されて電力を供給する回路基板と、前記有機ＥＬパネル及び前記回路基板が取り付けられるケース部と、を備える有機ＥＬモジュールにおいて、前記電極端子は、平面視が略長方形状の前記有機ＥＬパネルの左右両端部に配置され、前記ケース部は、前記有機ＥＬパネルと略同一形状の長方形状であって、前記有機ＥＬパネルの電極端子が配置されていない側の両側面のみに所定範囲において延出された、ハンドリング用の持ち部である延出部が各々形成され、前記延出部は、両側面の中央部に形成され、前記延出部のパネル辺に沿う長さは当該パネル辺より短いことによって、位置決め用の凸部に嵌め合わされる位置決め用の切り欠きが各角部に形成されていることを特徴とする。
【００１１】
また、この有機ＥＬモジュールの前記ケース部に前記延出部が形成されることで、前記有機ＥＬモジュールが平面視で略正方形となることが好ましい。
【００１３】
また、前記有機ＥＬモジュールの前記有機ＥＬパネルの角部の少なくとも１つに切り欠き部を設けることが好ましい。
【００１４】
また、本発明に係る照明装置は、前記有機ＥＬモジュールを複数備えたことを特徴とする。
【発明の効果】
【００１５】
本発明に係る有機ＥＬモジュールは、ケース部の有機ＥＬパネルの電極端子が配置されていない側の側面の一部若しくは全部には、所定範囲において延出された延出部が形成されるため、当該延出部を作業者のハンドリング部とできる。このため、本発明に係る有機ＥＬモジュールの取り扱いにおいて作業者は当該延出部を持つ確率が増えるため、電極端子付近を持つことによる配線の損傷や、有機ＥＬパネルへの指紋の付着等を防止することができる。さらに、延出部を形成することで、照明装置として複数の有機ＥＬモジュールを配置する際の位置決めを容易化することができる。
【図面の簡単な説明】
【００１６】
【図１】実施の形態１に係る有機ＥＬモジュールの分解斜視図。
【図２】（ａ）同有機ＥＬモジュールの下側からの斜視図、（ｂ）同有機ＥＬモジュールの上側からの斜視図。
【図３】同有機ＥＬモジュールを発光面側から見た平面図。
【図４】同有機ＥＬモジュールを複数配置した照明装置を有機ＥＬパネル側から見た平面図。
【図５】有機ＥＬモジュール１を複数備えた照明装置の斜視図。
【図６】本発明の実施の形態２に係る有機ＥＬモジュールを発光面側から見た平面図。
【図７】本発明の実施の形態３に係る有機ＥＬモジュールを発光面側から見た平面図。
【図８】同有機ＥＬモジュールを複数配置した照明装置を発光面側から見た平面図。
【図９】本発明の実施の形態４に係る有機ＥＬモジュールを発光面側から見た平面図。
【図１０】本発明の実施の形態５に係る有機ＥＬモジュールを発光面側から見た平面図。
【発明を実施するための形態】
【００１７】
本発明の実施の形態に係る有機ＥＬモジュールについて図面を参照して説明する。
【００１８】
（実施の形態１）
図１に示すように、本実施の形態１に係る有機ＥＬモジュール１は、カバー部２、回路基板３、ケース部４、及び有機ＥＬパネル５から構成される。
【００１９】
カバー部２は、ケース部４と嵌合するカバーである。回路基板３は、長尺状の３枚の基板を結合し、平面視でＨ形状に形成される。回路基板３の中央部付近に電源回路３１が設けられ、回路基板３の４つの端部にコネクタ部３３が設けられる。電源回路３１は回路基板３の内側に配置され、回路基板３からＥＬパネル５への配線３２を外側に配置している。この回路基板３の構成により、端部を薄くして、有機ＥＬモジュール１自体を薄く見せることが可能となる。
【００２０】
コネクタ部３３は送り側コネクタ及び受け入れ側コネクタ部から構成される。受け入れ側コネクタ部３３には、外部電力が供給され、電源回路３１に入力されると共に、一部が送り側コネクタ部３３を介して送出される。電源回路３１の出力は、給電ワイヤ等の配線３２を介してＥＬパネル５の電極端子５３に給電される。配線３２は、ワイヤボンディングによって有機ＥＬパネル５の電極端子５３に接続される。
【００２１】
ケース部４は、上側からの回路基板３と下側からの有機ＥＬパネル５とを格納する形状をし、有機ＥＬパネル５の電極端子５３が配置されない側の側面に所定幅だけ延出した延出部４ａが形成されていることを特徴としている。
【００２２】
有機ＥＬパネル５は、ガラス板やプラスチックフィルムなどからなる透明な基板５１、発光部５２、及び回路基板３側より給電を受ける電極端子５３から構成される。発光部５２は、発光層及び電極層を有する。電極層は、電極端子５３に接続される。発光部５２は、シート状の銅等によって封止される。
【００２３】
そして、図２（ａ）及び（ｂ）に示すように、組み立てられた有機ＥＬモジュール１のケース部４には側面方向に所定幅延出した延出部４ａが形成され、給電を受けて発光面である有機ＥＬパネル５側から発光する。
【００２４】
図３に示すように、本実施の形態１に係る有機ＥＬモジュール１は、有機ＥＬパネル５の電極端子５３が配置されていない側のケース部４の側面に、有機ＥＬパネル５の長手辺aより短い幅ｗを有する延出部４ａが形成されている。
【００２５】
この構成により、有機ＥＬモジュール１を作業者が取り扱う際に、延出部４ａをハンドリングすることができ、電極端子５３や配線３２の損傷、有機ＥＬパネル５の発光面の破損や汚れの付着などを防止できる。
【００２６】
また、図４に示すように、延出部４ａを設けたことで、有機ＥＬモジュール１の角部に位置決め用となる切り欠きが形成され、照明装置のフレームに形成された位置決め用の凸部６に嵌め合わせることで複数の有機ＥＬモジュールの配置を極めて容易化できる。
【００２７】
図５に示す照明装置７は、複数の有機ＥＬモジュール１がはめ込まれるフレーム８と、４つの有機ＥＬモジュール１とで構成され、照明装置７をモジュール化してコンパクトにできる。そして、照明装置７は電源部（不図示）から給電を受けることにより有機ＥＬ発光素子を用いた照明となる。
【００２８】
以上の説明のように、本実施の形態１に係る有機ＥＬモジュール１では、作業者のハンドリング用の持ち部としてケース部４に延出部４ａが形成される。このため、作業者は有機ＥＬモジュール１の取り扱いの際に延出部４ａを持つ確率が増え、電極端子５３の付近を持つことによる配線３２の損傷や、有機ＥＬパネル５への指紋の付着などの汚れを防止することができる。また、延出部４ａの形状により、有機ＥＬモジュール１を照明装置７のフレーム８に配置する際の位置決めを極めて容易化できる。
【００２９】
（実施の形態２）
本発明の実施の形態２に係る有機ＥＬモジュールについて図６を参照して説明する。図６に示すように、有機ＥＬモジュール９ではケース部４の有機ＥＬパネル５の電極端子５３のない側の側面に所定幅において延出部１０ａが形成される。そして、有機ＥＬパネル５の長手方向の幅ａと、ケース部４の幅ｂとが同じ長さであり有機ＥＬモジュール１が平面視で略正方形となる。
【００３０】
本実施の形態２に係る有機ＥＬモジュール９では、配線３２の損傷や、有機ＥＬパネル５への指紋の付着などの汚れを防止すると共に、複数の有機ＥＬモジュール９を照明装置へ配置したときに、有機ＥＬパネル５の発光面の間隔が各方向で均一となり、デザイン性を向上できる。
【００３１】
（実施の形態３）
本発明の実施の形態３に係る有機ＥＬモジュールについて図７及び図８を参照して説明する。図７に示すように、ケース部１２の有機ＥＬモジュール１１の電極端子５３のない側面の両端部の所定範囲で延出部１２ａが形成されている。この延出部１２ａの有機ＥＬパネル５のパネル辺に沿う長さは、有機ＥＬパネル５のパネル辺の長さより短くなっている。
【００３２】
また、図８に示すように、有機ＥＬモジュール１１を実施の形態１に係る形状の有機ＥＬモジュール１３と組み合わせることで、延出部１２a及び１４ａがパズルのように嵌め合わされ、複数の有機ＥＬモジュールを組み合わせながら容易に配置することができる。
【００３３】
このように、本実施の形態３に係る有機ＥＬモジュール１１では、延出部１２ａで各有機ＥＬモジュール１１のハンドリング部位を確保しつつ、複数の有機ＥＬモジュールを用いる照明装置における有機ＥＬモジュール１１の配置決めを容易化することができる。
【００３４】
（実施の形態４）
本発明の実施の形態４に係る有機ＥＬモジュールについて図９を参照して説明する。図９に示すように、本実施の形態４に係る有機ＥＬモジュール１５では、ケース部１６の延出部１６ａに、作業者が有機ＥＬモジュール１５を握り易いよう、指の形に合わせた曲線の凹部１６ｂが形成されている。この構成により、有機ＥＬモジュール１５では、上記の作用効果に加えて、作業者が凹部１６ｂを用いて極めて容易に有機ＥＬモジュール１５を取り扱うことができる。
【００３５】
（実施の形態５）
本発明の実施の形態５に係る有機ＥＬモジュールについて図１０を参照して説明する。図１０に示すように、有機ＥＬモジュール１７では、有機ＥＬパネル５の各角部に切り欠き部５４が設けられている。なお、有機ＥＬパネル５に形成される切り欠き部５４は少なくとも１箇所以上あれば良く、有機ＥＬモジュール１７はケース部に延出部を形成した平面視で略正方形状でもよい。
【００３６】
本実施の形態５に係る有機ＥＬモジュール１７の形状により、作業者はケース部４の角部側をハンドリング用のエッジとして用いることができ、配線３２の損傷や、有機ＥＬパネル５への指紋の付着などの汚れを防止すると共に、ケース部１８の延出部を小さく、若しくは省略することができる。また、有機ＥＬモジュール１７の非発光面を小さくすることができる。
【００３７】
なお、本発明に係る有機ＥＬモジュールは、上記実施の形態の形状に限られず、発明の趣旨を変更しない範囲で種々の変形が可能である。また、各実施の形態の説明において発光素子として有機ＥＬ発光素子を用いているが、本発明は、例えば無機ＥＬパネル、発光ダイオード、他の直流電流の供給によって点灯するものに対しても適用可能である。
【符号の説明】
【００３８】
１，９，１１，１３，１５，１７  有機ＥＬモジュール
２  カバー部
３  回路基板
３１  電源回路
３２  配線
３３  コネクタ部
４，１０，１２，１４，１６，１８  ケース部
４ａ，１０ａ，１２ａ，１４ａ，１６ａ  延出部
５  有機ＥＬパネル
７  照明装置
５１  基板
５２  発光部
５３  電極端子
【図１】
0005559586.tif 000002
【図２】
0005559586.tif 000003
【図３】
0005559586.tif 000004
【図４】
0005559586.tif 000005
【図５】
0005559586.tif 000006
【図６】
0005559586.tif 000007
【図７】
0005559586.tif 000008
【図８】
0005559586.tif 000009
【図９】
0005559586.tif 000010
【図１０】
0005559586.tif 000011